(57)【特許請求の範囲】
【請求項１】
空気調和機の運転状態を検出する運転状態検出手段と、この運転状態検出手段の信号により電子膨張弁（以下ＬＥＶ）の目標開度を算出する目標開度演算手段と、前記目標開度に前記ＬＥＶを駆動する駆動手段とを有するスプリット型空気調和機において、現在の前記ＬＥＶの開度を記憶しておく開度記憶手段と、前記ＬＥＶの初期位置決めを行う位置決め手段とを備え、前記空気調和機の運転開始時に前記ＬＥＶを全閉状態に戻す初期位置決めパルス数を、前記開度記憶手段に記憶されている前記ＬＥＶ開度のパルス数に所定パルスを加算したパルス数にすることを特徴とする空気調和機の電子膨張弁制御装置。
【請求項２】
空気調和機の運転状態を検出する運転状態検出手段と、この運転状態検出手段の信号によりＬＥＶの目標開度を算出する目標開度演算手段と、前記目標開度に前記ＬＥＶを駆動する駆動手段とを有するスプリット型空気調和機において、室外機への電源供給状態を検出する電源検出手段と、前記ＬＥＶの開度を記憶しておく開度記憶手段と、前記ＬＥＶの初期位置決めを行う位置決め手段とを備え、前記電源がオフされる場合のみそのときの前記ＬＥＶ開度を前記開度記憶手段に書き込み、前記電源が再度オンした場合に前記開度記憶手段に記憶されている前記ＬＥＶ開度を読み込み、該ＬＥＶ開度のパルス数に所定パルスを加算したパルス数を前記空気調和機の運転開始時に前記ＬＥＶを全閉状態に戻す初期位置決めパルス数とすることを特徴とする空気調和機の電子膨張弁制御装置。
【請求項３】
空気調和機の運転状態を検出する運転状態検出手段と、この運転状態検出手段の信号によりＬＥＶの目標開度を算出する目標開度演算手段と、前記目標開度に前記ＬＥＶを駆動する駆動手段とを有するスプリット型空気調和機において、前記ＬＥＶの開度を複数のバンド帯に区切り、現在の前記ＬＥＶの開度がどのバンド帯に該当するか判断するＬＥＶ開度範囲検出手段と、このＬＥＶ開度範囲検出手段の検出した前記バンド帯に変化があった場合に、現在のバンド帯を記憶するバンド帯記憶手段と、前記ＬＥＶの初期位置決めを行う位置決め手段とを備え、前記空気調和機の運転開始時に前記ＬＥＶを全閉状態に戻す初期位置決めパルス数を、前記バンド帯記憶手段に記憶されている前記ＬＥＶ開度の該当バンド帯の上限パルス数に所定パルスを加算したパルス数にすることを特徴とする空気調和機の電子膨張弁制御装置。
【発明の詳細な説明】
【０００１】
【発明の属する技術分野】
この発明は、空気調和機の電子膨張弁制御装置（ＬＥＶ）に関するものである。
【０００２】
【従来の技術】
図１３は従来の空気調和機の電子膨張弁の制御装置のＬＥＶの位置決め動作を示す図である。一般に、ＬＥＶはステッピングモータで駆動され、空気調和機の運転開始時には位置決めのため一旦全閉位置まで締める制御が行われる。ＬＥＶの初期位置決め動作としては、図１３に示すようにＬＥＶが全開位置にいても正確な位置決めを行うようにするためには、最大開度をＡパルスとすると、最大開度ＡパルスにＬＥＶ駆動中のズレ分を考慮したαパルスを加えた開度、すなわち、Ａ＋αパルス閉方向に駆動することにより全閉位置で位置決めを行う。この位置決めを行う時の初期ＬＥＶ開度が全開の場合には、増し締め（ＬＥＶは全閉位置にあるが、ステッピングモータが閉じる方向に動作する）は＋α分のみだが、図１３に示すように初期ＬＥＶ開度がＢパルスに場合には、Ａ−Ｂ分のパルスが初期ＬＥＶ開度が全開の場合よりも余分に増し締めが行われることになる。
【０００３】
【発明が解決しようとする課題】
従来の空気調和機の電子膨張弁制御装置は以上のように構成されているので、ＬＥＶの初期位置決めはＬＥＶの全閉から全開までの全パルス数に所定パルスαを加えたパルスにしなければならず、ＬＥＶの初期位置決めに長い時間が必要であり、ＬＥＶの位置決め完了まで圧縮機の運転は開始できなため、ユーザが運転ＳＷを入れてから圧縮機を運転するまでに遅延時間が発生し、エアコンの立ち上がり特性が悪化するといった問題点があった。
【０００４】
また、前回の停止ＬＥＶ開度が低かった場合などには、ＬＥＶの増し締め非常に多くなりＬＥＶの寿命が短くなり信頼性が低下するなどの問題点があった。
【０００５】
この発明は、上記のような課題を解消するためになされたもので、電子膨張弁の初期位置決め時間を短縮できるとともに、電子膨張弁の増し締めを防止することができる空気調和機の電子膨張弁制御装置を得ることを目的とする。
【０００６】
【課題を解決するための手段】
請求項１の空気調和機の電子膨張弁制御装置は、空気調和機の運転状態を検出する運転状態検出手段と、この運転状態検出手段の信号によりＬＥＶの目標開度を算出する目標開度演算手段と、目標開度に前記ＬＥＶを駆動する駆動手段とを有するスプリット型空気調和機において、現在のＬＥＶの開度を記憶しておく開度記憶手段と、ＬＥＶの初期位置決めを行う位置決め手段とを備え、空気調和機の運転開始時にＬＥＶを全閉状態に戻す初期位置決めパルス数を、開度記憶手段に記憶されているＬＥＶ開度のパルス数に所定パルスを加算したパルス数にすることを特徴とする。
【０００７】
請求項２の空気調和機の電子膨張弁制御装置は、空気調和機の運転状態を検出する運転状態検出手段と、この運転状態検出手段の信号によりＬＥＶの目標開度を算出する目標開度演算手段と、目標開度にＬＥＶを駆動する駆動手段とを有するスプリット型空気調和機において、室外機への電源供給状態を検出する電源検出手段と、ＬＥＶの開度を記憶しておく開度記憶手段と、ＬＥＶの初期位置決めを行う位置決め手段とを備え、電源がオフされる場合のみそのときのＬＥＶ開度を開度記憶手段に書き込み、電源が再度オンした場合に開度記憶手段に記憶されているＬＥＶ開度を読み込み、ＬＥＶ開度のパルス数に所定パルスを加算したパルス数を空気調和機の運転開始時にＬＥＶを全閉状態に戻す初期位置決めパルス数とすることを特徴とする。
【０００８】
請求項３の空気調和機の電子膨張弁制御装置は、空気調和機の運転状態を検出する運転状態検出手段と、この運転状態検出手段の信号によりＬＥＶの目標開度を算出する目標開度演算手段と、目標開度にＬＥＶを駆動する駆動手段とを有するスプリット型空気調和機において、ＬＥＶの開度を複数のバンド帯に区切り、現在のＬＥＶの開度がどのバンド帯に該当するか判断するＬＥＶ開度範囲検出手段と、このＬＥＶ開度範囲検出手段の検出したバンド帯に変化があった場合に、現在のバンド帯を記憶するバンド帯記憶手段と、ＬＥＶの初期位置決めを行う位置決め手段とを備え、空気調和機の運転開始時にＬＥＶを全閉状態に戻す初期位置決めパルス数を、バンド帯記憶手段に記憶されているＬＥＶ開度の該当バンド帯の上限パルス数に所定パルスを加算したパルス数にすることを特徴とする。
【０００９】
【発明の実施の形態】
実施の形態１．
以下、この発明の実施の形態１を図について説明する。図１はこの発明の実施の形態１における空気調和機の構成を示す構成図であり、図において、冷媒を圧縮する圧縮機３と、冷房／暖房切り替えを行う四方弁４と、室内機熱交換器１と、室外機熱交換器２と、絞り機構のＬＥＶ５で冷媒回路を構成している。
【００１０】
また、商用電源６は室内機制御部７がリレー８のＯＮ／ＯＦＦ制御を行い、運転開始とともに室外機制御部９へ供給される。
【００１１】
図２は、この発明の実施の形態２による空気調和機の室外機制御部の詳細ブロック図である。図において、運転状態検出手段９１により空気調和機の各種温度等を検出し、目標開度演算手段９２で前記運転状態検出手段９１の情報を元にＬＥＶ５の目標開度を演算する。その目標開度にＬＥＶ５を駆動する駆動手段９３によりＬＥＶ５は駆動され冷媒回路全体を最適な状態に制御している。開度書き込み手段９５は、駆動手段９３で駆動している現在のＬＥＶ５の開度を読み込み、開度記憶手段９７に開度を書き込む。この開度記憶手段９７に書き込まれたＬＥＶ５の開度は、ＬＥＶ５の初期位置決め時に開度読み込み手段９６により読み出され、位置決め手段９４に入力され、位置決め手段９４ではこの情報を元に位置決め動作時のパルス数を算出する。
【００１２】
次に動作を説明する。図３は実施の形態１の動作を説明する動作図、図４は同フローチャート図である。運転を開始するときに、ステップ１０１で開度記憶手段９７に記憶されている前回の運転停止時の停止ＬＥＶ開度を読み込み、それを元にステップ１０２で位置決め手段９４で位置決めパルスを算出する。この位置決めパルスは、
位置決めパルス＝前回の停止ＬＥＶ開度＋α
とする。このαパルスはＬＥＶ駆動中にＬＥＶ５のステッピングモータの脱調等による駆動開度と実開度のズレ分の最大値に相当する開度と設定する。また、初回運転時には前回の停止ＬＥＶ開度が不明のため、前回の停止ＬＥＶ開度は全開開度として処理を行うようにする。ステップ１０３ではステップ１０２で算出された位置決めパルス数だけＬＥＶ５を閉方向に駆動しＬＥＶの初期位置決めを行い、ＬＥＶの初期位置決め終了後ステップ１０４に進む。ステップ１０４では、空気調和機の運転状態を検出し、冷媒回路を最適な状態になるようにＬＥＶ開度を制御する。ステップ１０５ではステップ１０４で決定されたＬＥＶ開度を開度記憶手段９７に書き込み記憶させ、ステップ１０４に戻る。
【００１３】
図３では、運転停止時の開度がＢパルスの場合の例を示しているが、運転停止時には運転停止時の開度『Ｂパルス』が開度記憶手段９７に記憶される。そして次回の運転時には前回の停止ＬＥＶ開度の『Ｂパルス』が開度記憶手段９７から読み出され、位置決めパルスは、『Ｂ＋αパルス』となり、従来と比較し位置決めパルス数を少なくなり、その結果位置決め時間も短縮され余分な増し締めも行われなくなる。
【００１４】
実施の形態２．
以下、この発明の実施の形態２を図について説明する。図５はこの実施の形態２の詳細ブロック図である。図２のブロック図に電源検出手段９８を追加したものである。電源検出手段９８は、室外制御部９への電源供給状態を検出し電源の供給が停止した場合、開度書き込み手段９５に信号を送り、開度書き込み手段９５では、現在のＬＥＶ開度を駆動手段９３より読み込み開度記憶手段９７に書き込む。
【００１５】
次に動作を説明する。図６は実施の形態２の動作を説明するフローチャート図である。実施の形態１と異なる点のみ説明する。ステップ２０５では、室外制御部９への電源供給状態を検出し、電源の供給があればステップ２０４に戻り通常のＬＥＶ制御を行う。ステップ２０５で、室外制御部９への電源供給の停止を検出した場合、ステップ２０６で現在のＬＥＶ開度を室外制御部９の残留電荷が残っている内に開度記憶手段９７に書き込み記憶させる。
【００１６】
この実施の形態によれば、室外制御部９への電源の供給が停止した場合のみ現在のＬＥＶ開度を開度記憶手段９７に書き込み記憶させるので、書き込み回数に制限のある不揮発性メモリでも使用できるという効果を奏する。
【００１７】
実施の形態３．
以下、この発明の実施の形態３を図について説明する。図７はこの発明の実施の形態３の詳細ブロック図である。図２のブロック図に開度範囲検出手段９９を追加したものである。図８は同動作を説明する動作図である。開度範囲検出手段９９は、現在のＬＥＶ開度がどのバンド帯（図８のａ〜ｊバンド帯）に該当するか判断するＬＥＶ開度範囲検出手段であり、ＬＥＶ開度範囲検出手段９９のバンド帯を記憶しておく開度書き込み手段９５に信号を送り、開度書き込み手段９５では、現在のバンド帯を開度記憶手段９７に書き込む。
【００１８】
次に動作を説明する。図９は実施の形態３の動作を説明するフローチャート図である。運転を開始すると、ステップ３０１で開度記憶手段９７に記憶されている前回の運転停止時の停止ＬＥＶバンドを読み込み、それを元にステップ３０２で位置決め手段９４で位置決めパルスを算出する。この位置決めパルスは、
位置決めパルス＝前回の停止ＬＥＶバンドの上限開度＋α
とする。このαパルスはＬＥＶ駆動中にＬＥＶ５のステッピングモータの脱調等による駆動開度と実開度のズレ分の最大値に相当する開度と設定する。また、初回運転時には前回の停止ＬＥＶバンドが不明のため、前回の停止ＬＥＶバンドは全開のバンドとして処理を行うようにする。ステップ３０３ではステップ３０２で算出された位置決めパルス数だけＬＥＶ５を閉方向に駆動しＬＥＶ５の初期位置決めを行い、ＬＥＶ５の初期位置決め終了後ステップ３０４に進む。ステップ３０４では、空気調和機の運転状態を検出し、冷媒回路を最適な状態になるようにしＬＥＶ開度を制御する。ステップ３０５では、ＬＥＶ５のバンド帯に変化があったを検出し、変化がなければステップ３０４に戻り通常のＬＥＶ制御を行う。ステップ３０５で、ＬＥＶ５のバンド帯に変化があった場合、ステップ３０６で現在のＬＥＶのバンド帯に開度記憶手段９７に書き込み記憶させる。
【００１９】
図８では、運転停止時の開度がＢパルスの場合の例を示しているが、運転停止時には運転停止時の開度のＢパルスの該当バンド『ｆ』が開度記憶手段９７に記憶され、そして次回の運転時には前回の停止ＬＥＶバンドの『ｆ』が読み出され、位置決めパルスは、『ｆのバンドの上限値＋αパルス』となり、従来と比較し位置決めパルス数を少なくなり、その結果位置決め時間も短縮され余分な増し締めも行われなくなる。また、運転停止時の開度の該当バンドが前回と同一の場合は、開度記憶手段９７への書き込みを行なわないので、書き込み回数が減少する。ＥＥＰ−ＲＯＭ等の書き込み回数に制限がある不揮発性メモリでも開度記憶手段９７に使用することができる。
【００２０】
【発明の効果】
請求項１の空気調和機の電子膨張弁制御装置は、空気調和機の運転状態を検出する運転状態検出手段と、この運転状態検出手段の信号によりＬＥＶの目標開度を算出する目標開度演算手段と、目標開度に前記ＬＥＶを駆動する駆動手段とを有するスプリット型空気調和機において、現在のＬＥＶの開度を記憶しておく開度記憶手段と、ＬＥＶの初期位置決めを行う位置決め手段とを備え、空気調和機の運転開始時にＬＥＶを全閉状態に戻す初期位置決めパルス数を、開度記憶手段に記憶されているＬＥＶ開度のパルス数に所定パルスを加算したパルス数にするので、ＬＥＶの位置決め時間が短くなり、ユーザが運転スイッチを入れてから圧縮機が運転を開始するまでの遅延時間を最短にでき、空気調和機の立ち上がり特性を改善できる。また、ＬＥＶの増し締めを極力抑えることによりＬＥＶの長寿命化が可能となり、信頼性が高いものが得られる。
【００２１】
請求項２の空気調和機の電子膨張弁制御装置は、空気調和機の運転状態を検出する運転状態検出手段と、この運転状態検出手段の信号によりＬＥＶの目標開度を算出する目標開度演算手段と、目標開度にＬＥＶを駆動する駆動手段とを有するスプリット型空気調和機において、室外機への電源供給状態を検出する電源検出手段と、ＬＥＶの開度を記憶しておく開度記憶手段と、ＬＥＶの初期位置決めを行う位置決め手段とを備え、電源がオフされる場合のみそのときのＬＥＶ開度を開度記憶手段に書き込み、電源が再度オンした場合に開度記憶手段に記憶されているＬＥＶ開度を読み込み、ＬＥＶ開度のパルス数に所定パルスを加算したパルス数を空気調和機の運転開始時にＬＥＶを全閉状態に戻す初期位置決めパルス数とするので、書き込み回数に制限のある不揮発性メモリでも使用できるという効果を奏する。
【００２２】
請求項３の空気調和機の電子膨張弁制御装置は、空気調和機の運転状態を検出する運転状態検出手段と、この運転状態検出手段の信号によりＬＥＶの目標開度を算出する目標開度演算手段と、目標開度にＬＥＶを駆動する駆動手段とを有するスプリット型空気調和機において、ＬＥＶの開度を複数のバンド帯に区切り、現在のＬＥＶの開度がどのバンド帯に該当するか判断するＬＥＶ開度範囲検出手段と、このＬＥＶ開度範囲検出手段の検出したバンド帯に変化があった場合に、現在のバンド帯を記憶するバンド帯記憶手段と、ＬＥＶの初期位置決めを行う位置決め手段とを備え、空気調和機の運転開始時にＬＥＶを全閉状態に戻す初期位置決めパルス数を、バンド帯記憶手段に記憶されているＬＥＶ開度の該当バンド帯の上限パルス数に所定パルスを加算したパルス数にするので、書き込み回数に制限のある不揮発性メモリでも使用できるという効果を奏する。
【図面の簡単な説明】
【図１】  この発明の実施の形態１による空気調和機の構成を示す構成図である。
【図２】  この発明の実施の形態１による空気調和機の電子膨張弁制御装置の詳細ブロック図である。
【図３】  この発明の実施の形態１による空気調和機の電子膨張弁制御装置の動作を説明する動作図である。
【図４】  この発明の実施の形態１による空気調和機の電子膨張弁制御装置の動作を説明するフローチャート図である。
【図５】  この発明の実施の形態２による空気調和機の電子膨張弁制御装置の詳細ブロック図である。
【図６】  この発明の実施の形態２による空気調和機の電子膨張弁制御装置の動作を説明するフローチャート図である。
【図７】  この発明の実施の形態３による空気調和機の電子膨張弁制御装置の詳細ブロック図である。
【図８】  この発明の実施の形態３による空気調和機の電子膨張弁制御装置の動作を説明する動作図である。
【図９】  この発明の実施の形態３による空気調和機の電子膨張弁制御装置の動作を説明するフローチャート図である。
【図１０】  従来の空気調和機の電子膨張弁制御装置の動作を説明する動作図である。
【符号の説明】
５  電子膨張弁（ＬＥＶ）、６  商用電源、９  室外制御部、９１  運転状態検出手段、９２  目標開度演算手段、９３  駆動手段、９４  位置決め手段、９５  開度書き込み手段、９６  開度読み込み手段、９７  開度記憶手段、９８  電源検出手段、９９  開度範囲検出手段。
【図１】
0003676481.tif 000002
【図２】
0003676481.tif 000003
【図３】
0003676481.tif 000004
【図４】
0003676481.tif 000005
【図５】
0003676481.tif 000006
【図６】
0003676481.tif 000007
【図７】
0003676481.tif 000008
【図８】
0003676481.tif 000009
【図９】
0003676481.tif 000010
【図１０】
0003676481.tif 000011